(57)【特許請求の範囲】
【請求項１】
直流−交流変換器で変換された交流電流又は外部交流電源からの交流電流を出力する交流電源ソケットと、外部交流電源に接続される交流電源接続端子との間を導通又は遮断させる第一スイッチを制御し、
前記交流電源接続端子と、前記交流電源接続端子からの交流電流を直流電流に変換する交流−直流変換器との間を導通又は遮断させる第二スイッチを制御し、
前記交流−直流変換器で変換された直流電流を蓄える蓄電池と、前記交流電源ソケットとの間を導通又は遮断する第三スイッチを制御する制御器であって、
前記第二スイッチが導通状態時に、前記交流電源ソケットの使用の有無を検出するソケット使用検出器が前記交流電源ソケットの使用を検出した場合に、前記第二スイッチを遮断し、前記第一スイッチを導通することを特徴とする制御器。
【請求項２】
前記ソケット使用検出器が前記交流電源ソケットの使用を検出した場合で、かつ、前記第二スイッチが導通状態である場合に、警告を発することを特徴とする請求項１に記載の制御器。
【請求項３】
前記交流電源接続端子の使用の有無を検出する交流電源接続端子使用検出器が前記交流電源接続端子の使用を検出し、かつ、前記交流電源ソケットの使用の有無を検出するソケット使用検出器が前記交流電源ソケットの使用を検出した場合に、前記第一スイッチを導通し、前記第二スイッチを遮断し、前記第三スイッチを遮断し、
前記交流電源接続端子使用検出器が前記交流電源接続端子の使用を検出せず、かつ、前記ソケット使用検出器が前記交流電源ソケットの使用を検出した場合に、前記第一スイッチを遮断し、前記第二スイッチを遮断し、前記第三スイッチを導通し、
前記交流電源接続端子使用検出器が前記交流電源接続端子の使用を検出し、かつ、前記ソケット使用検出器が前記交流電源ソケットの使用を検出しない場合に、前記第一スイッチを遮断し、前記第二スイッチを導通し、前記第三スイッチを遮断する、
ことを特徴とする請求項１または２に記載の制御器。
【請求項４】
交流電源から交流−直流変換を経て得られる直流電流を蓄積する電力蓄積手段と、
前記電力蓄積手段から直流−交流変換を経て得られる交流電流を出力する交流電流出力手段と、を含む交流電流を供給する交流電流供給方法において、
前記電力蓄積手段が前記交流電源から直流電流を蓄積している時に前記交流電流出力手段を使用する場合に、前記電力蓄積手段が前記交流電源から直流電流を蓄積することを止め、前記交流電源から前記交流電流出力手段へ交流電流の供給を行う交流電流供給方法。
【発明の詳細な説明】
【技術分野】
【０００１】
本発明は、交流電流供給装置、交流電流供給装置の制御器、及び交流電流供給方法に関し、特に、蓄電池を備えた移動装置において、蓄電池は外部交流電源から電力の供給を受けると共に、電力を提供する交流電源ソケットを備える移動装置の交流電流供給装置、交流電流供給装置の制御器、及び交流電流供給方法に関する。
【背景技術】
【０００２】
従来から、蓄電池を備えた自動車等の移動装置において、一般家庭用の電気器具を使用できるようにするための技術は、広く知られている。
【０００３】
例えば、特許文献１では、一般家庭用の電気器具を自動車の車内で使用できる車両用ソケットが開示されている。この車両用ソケットは、自動車のバッテリに接続され、電圧を昇圧するトランスを備えたＤＣ／ＤＣコンバータ電源回路と、このＤＣ／ＤＣコンバータ電源回路に接続し、かつ１００Ｖの一般家庭用の電気器具の家電用プラグに接続する家電用ソケットと、この家電用プラグを装着することに連動するアウトレットスイッチと、を備えている。また、上記ＤＣ／ＤＣコンバータ電源回路は、上記アウトレットスイッチにより作動するコンバータ駆動回路を備えている。
【０００４】
また、特許文献２では、ＡＣ出力およびＤＣ出力を提供する車載用電源装置であって、未知のＡＣ負荷が接続する場合であっても各負荷に適切に電力を供給できるようにする車載用電源装置が開示されている。この車載用電源装置は、自動車の走行に必要な機器にＤＣ電圧を提供するために、所定の電圧を生成するＤＣ／ＤＣコンバータと、ＤＣ／ＤＣコンバータにより生成されるＤＣ電圧を交流に変換するＤＣ／ＡＣコンバータを備え、そのＡＣ出力を、コンセントプラグから提供する。また、ＤＣ出力およびＡＣ出力の総電力がＤＣ／ＤＣコンバータの最大電力を超えると、ＤＣ／ＡＣコンバータによるＡＣ出力を制限するコントローラを備える。
【０００５】
また、特許文献３では、車載電源の充電状態の低下を抑制しつつ、商用交流電源の使用をできるだけ確保する車載用電源装置が開示されている。これ以前の技術では、車載電源の充電状態（ＳＯＣ）が所定範囲を逸脱しないように、車載電源のＳＯＣが所定状態まで低下した場合には、ＤＣ／ＡＣインバータの作動を禁止することが行われていた。しかし、本文献で開示された技術では、車両に搭載された高圧バッテリのＳＯＣに基づいて、高圧バッテリからインバータを介してアクセサリコンセントへ供給可能な電力、即ち、アクセサリコンセントに接続される電気製品の消費可能な許容消費電力を算出することにより、商用交流電源の使用をできるだけ確保する。
【０００６】
また、特許文献４では、充電装置本体に接続される、ＡＣアダプタもしくはカーバッテリー等の直流電源の出力電圧が、充電装置本体が正常に動作できる許容電圧範囲から外れた場合でも、充電装置自身の故障や直流電源自体の損傷を防止することができる充電装置が開示されている。
【０００７】
また、特許文献５では、二次電池からの電力を用いてＡＣ１００Ｖ出力を行なう電力系統制御装置が開示されている。本文献で開示された技術では、バッテリの充放電電流や充放電積算量などから充放電状態を判定してＡＣ１００ＶインバータによるＡＣ１００Ｖ出力を制限している。
【０００８】
上記先行技術においては、内燃機関の動作により蓄電池へ蓄電する又は外部ＡＣ電源から蓄電池へ蓄電するのか違いはあるものの、直流電圧の昇圧変圧器の機能を備えたＤＣ／ＤＣコンバータ電源回路や、直流電圧を交流に変換するＤＣ／ＡＣ変換器を備えることにより、一般家庭用の電気器具が一旦蓄電池に蓄積された直流電圧を使用できるようにしている。
【０００９】
一方、近年、住宅等の交流電源から電力の供給を受ける、プラグインハイブリッド自動車（ＰＨＥＶ）や電気自動車（ＥＶ）の蓄電池の大容量化が進展し、今後ますます、移動装置の蓄電池に蓄えられた電力を一般の電気器具に使用する機会が増加するものと考えられている。
【００１０】
しかし、先行技術においては、昇圧変圧器の機能付きＤＣ／ＤＣコンバータ電源回路では負荷の比較的少ない電気器具に限定されている。また、ＤＣ／ＡＣ変換器を使用する場合、ＰＨＥＶやＥＶにあっては交流電源から電力の供給を受ける際に一度ＡＣ／ＤＣ変換を行っているので、再度ＤＣ／ＡＣ変換を行い電気器具に電力を提供することは、全体としてエネルギー損失が大きくなってしまう。
【００１１】
特に、先行技術においては、外部交流電源から車載の蓄電池へ充電中か充電中でないかの状態にかかわらず、車両の交流電源ソケットから出力される交流電圧は、蓄電池に蓄積された直流電圧をＤＣ／ＡＣ変換して供給されることが前提となっている。従って、外部交流電源から車両の蓄電池への充電と車両の交流電源ソケットの使用が同時に行われる場合、外部交流電源から車載の蓄電池へ充電し、それをさらにＤＣ／ＡＣ変換して交流電源ソケットから交流電圧を供給することは、２度の電力の変換を伴い、エネルギーの損失が大きい。
【先行技術文献】
【特許文献】
【００１２】
【特許文献１】特開２０００−３０１９９１号公報
【特許文献２】特開２００８−１３１６号公報
【特許文献３】特開２００４−２８２８３７号公報
【特許文献４】特開２００９−６０６８３号公報
【特許文献５】特開２００２−３７４６０４号公報
【発明の概要】
【発明が解決しようとする課題】
【００１３】
本発明の目的とするところは、蓄電池と交流電源ソケットを備える車両等において、外部交流電源から蓄電池への充電と、交流電源ソケットの使用が重なった場合でも、外部交流電源への過大な電力負荷を防止し、電力損失を最小化する、交流電流供給装置の制御器、及び交流電流供給方法を提供することである。
【課題を解決するための手段】
【００１５】
上記課題を解決するために、直流−交流変換器で変換された交流電流又は外部交流電源からの交流電流を出力する交流電源ソケットと、外部交流電源に接続される交流電源接続端子との間を導通又は遮断させる第一スイッチを制御し、交流電源接続端子と、交流電源接続端子からの交流電流を直流電流に変換する交流−直流変換器との間を導通又は遮断させる第二スイッチを制御し、交流−直流変換器で変換された直流電流を蓄える蓄電池と、交流電源ソケットとの間を導通又は遮断する第三スイッチを制御する制御器であって、第二スイッチが導通状態時に、交流電源ソケットの使用の有無を検出するソケット使用検出器が交流電源ソケットの使用を検出した場合に、第二スイッチを遮断し、第一スイッチを導通する制御器が提供される。
これによれば、外部交流電源から蓄電池への充電と、交流電源ソケットの使用が重なった場合、外部交流電源への過大な電力負荷を防止し、電力損失を最小化する、制御器を提供できる。
【００１６】
さらに、ソケット使用検出器が交流電源ソケットの使用を検出した場合で、かつ、第二スイッチが導通状態である場合に、警告を発することを特徴してもよい。
これによれば、外部交流電源から蓄電池への充電と、交流電源ソケットの使用が重なった場合、利用者に注意を促すことができる。
【００１８】
さらに、交流電源接続端子の使用の有無を検出する交流電源接続端子使用検出器が交流電源接続端子の使用を検出し、かつ、交流電源ソケットの使用の有無を検出するソケット使用検出器が交流電源ソケットの使用を検出した場合に、第一スイッチを導通し、第二スイッチを遮断し、第三スイッチを遮断し、交流電源接続端子使用検出器が交流電源接続端子の使用を検出せず、かつ、ソケット使用検出器が交流電源ソケットの使用を検出した場合に、第一スイッチを遮断し、第二スイッチを遮断し、第三スイッチを導通し、交流電源接続端子使用検出器が交流電源接続端子の使用を検出し、かつ、ソケット使用検出器が交流電源ソケットの使用を検出しない場合に、第一スイッチを遮断し、第二スイッチを導通し、第三スイッチを遮断することを特徴としてもよい。
これによれば、交流電源ソケットの使用中に外部交流電源から蓄電池への充電が開始された場合や、外部交流電源から蓄電池への充電が行われているときに交流電源ソケットが使用され始められた場合でも、外部交流電源への過大な電力負荷を防止し、電力損失を最小化する、制御器を提供できる。
【００１９】
別の観点によれば、上記課題を解決するために、交流電源から交流−直流変換を経て得られる直流電流を蓄積する電力蓄積手段と、電力蓄積手段から直流−交流変換を経て得られる交流電流を出力する交流電流出力手段と、を含む交流電流を供給する交流電流供給方法において、前記電力蓄積手段が前記交流電源から直流電流を蓄積している時に交流電流出力手段を使用する場合に、前記電力蓄積手段が前記交流電源から直流電流を蓄積することを止め、交流電源から交流電流出力手段へ交流電流の供給を行う交流電流供給方法が提供される。
これによれば、外部交流電源から蓄電池への充電と、交流電源ソケットの使用が重なった場合でも、外部交流電源への過大な電力負荷を防止し、電力損失を最小化する、交流電流供給方法を提供できる。
【発明の効果】
【００２１】
以上説明したように、本発明によれば、蓄電池と交流電源ソケットを備える車両等において、外部交流電源から蓄電池への充電と、交流電源ソケットの使用が重なった場合でも、外部交流電源への過大な電力負荷を防止し、電力損失を最小化する、交流電流供給装置の制御器、及び交流電流供給方法を提供することができる。
【図面の簡単な説明】
【００２２】
【図１】本発明に係る第一実施例のブロック図。
【図２】本発明に係る第一実施例における普通充電時の状態を示すブロック図。
【図３】本発明に係る第一実施例における交流電源ソケット使用時の状態を示すブロック図。
【図４】本発明に係る第一実施例における交流電源接続端子と交流電源ソケットが同時に使用される時の状態を示すブロック図。
【図５】本発明に係る第一実施例の制御器の制御方法を示すフローチャート。
【発明を実施するための形態】
【００２３】
以下では、図面を参照しながら、本発明に係る各実施例について説明する。
（第一実施例）
図１は、本発明に係る第一実施例における交流電流供給装置１のブロック図を示す。この交流電流供給装置１は、車両２に備えられている。車両２は典型的には自動車であるが、これに限られず、交流電流供給装置１は、電車等を含む車両一般、船舶、航空機などの移動装置、自ら動くことはないが収容物のために蓄電池を備えたコンテナ、停電の時のために蓄電池を備えた自動販売機など、蓄電池を備え、その蓄電池から他の電気器具に電力を提供できる物すべてに適用できる。
【００２４】
交流電流供給装置１は、交流電源接続端子１０を通して、住宅等に備えられた外部交流電源３から電力の供給を受けることができる。外部交流電源３は、通常、電力系統に接続された１００Ｖ又は２００Ｖの商用電源である。
交流電流供給装置１は、交流電源接続端子１０が外部交流電源３に接続されると、電力の供給を受けることのできる状態となる。交流電源接続端子１０からの交流電流は、第二スイッチ７０を経て、交流−直流変換器２０に至る。
【００２５】
交流−直流変換器２０は、外部交流電源３からの交流電流を直流電流に変換する。交流−直流変換器２０は、一般に、交流電圧を変更するトランスと整流する整流器により構成されるが、これに限定されず、交流を入力として与えられて直流を出力するものであればよい。出力の直流は、例えば、１２Ｖである。なお、本図では、交流や直流のラインを簡略化して記載しているが、実際は、正電圧線、負電圧線、中性線などから構成される。
交流−直流変換器２０により変換された直流電流は、蓄電池３０に蓄電される。蓄電池３０は、特に限定されず、リチウムイオン蓄電池、ニッケル水素蓄電池、鉛蓄電池、ニッケルカドミウム蓄電池、ナトリウム硫黄電池などであってよい。
【００２６】
また、交流電流供給装置１は、直流−交流変換器４０を備える。直流−交流変換器４０は、蓄電池３０からの直流電流を交流電流に変換する。直流−交流変換器４０は、所謂インバータ装置であり、一般に、整流器とインバータなどから構成されるが、特に限定されず、直流を入力として与えられ交流を出力するものであればよい。
【００２７】
また、交流電流供給装置１は、交流電源ソケット５０を備える。交流電源ソケット５０は、一般的な家庭用電気器具を繋ぐコンセントと同型のものでよい。交流電源ソケット５０が出力する交流電流のソースは、２つあり、１つは、蓄電池３０に蓄えられた電力を直流−交流変換器４０が変換した交流電流であり、もう１つは、外部交流電源３からの交流電流である。これら２つの交流電流は、後述する方法により、切り替えられて、交流電源ソケット５０から供給される。
【００２８】
また、交流電流供給装置１は、交流電源ソケット５０と交流電源接続端子１０との間に介在し、両者を導通又は遮断する第一スイッチ６０と、交流電源接続端子１０と交流−直流変換器２０の間に介在し、両者を導通又は遮断する第二スイッチ７０と、蓄電池３０と交流電源ソケット５０の間に介在し、両者を導通又は遮断する第三スイッチ８０とを備える。なお、第一スイッチ６０と第二スイッチ７０は、一体をなした切替スイッチであってもよい。この場合は、初期状態では、第一スイッチ６０および第一スイッチ７０は、いずれも遮断されている。そして、第一スイッチ６０が導通したとき第二スイッチ７０は遮断される。逆に、第二スイッチ７０が導通したとき第一スイッチ６０は遮断される。
【００２９】
第二スイッチ７０の位置は、遮断すると外部電源の電力が消費されないので交流電源接続端子１０と交流−直流変換器２０の間としているが、必要に応じて、交流−直流変換器２０と蓄電池３０の間であってもよい。また、第三スイッチ８０の位置は、蓄電池３０と交流電源ソケット５０の間となっている。このような位置関係により、第三スイッチを遮断すると蓄電池３０の電力が消費されない。また、直流−交流変換器４０と交流電源ソケット５０間に第三スイッチ８０を設けることもできる。
【００３０】
また、交流電流供給装置１は、制御器９０を備える。制御器９０は、第一スイッチ６０、第二スイッチ７０、及び第三スイッチ８０の導通・遮断を制御する。制御の方法は後述する。制御器９０は、これらのスイッチを制御するための情報として、以下に述べる、ソケット使用検出器１３０からの情報、交流電源接続端子使用検出器１４０からの情報、蓄電池３０の充電状態（ＳＯＣ：Ｓｔａｔｅ  ｏｆ  Ｃｈａｒｇｅ）の情報を用いる。なお、制御器９０は、電気回路（ハードウェア）を用い所定の論理を組み立ててもよいし、ＲＯＭやＲＡＭの中にロードされたソフトウェア（ファームウェア）で所定の論理を組み立ててもよい。
【００３１】
交流電流供給装置１は、交流電源ソケット５０の使用の有無を検出するソケット使用検出器１３０を備える。ソケット使用検出器１３０は、交流電源ソケット５０に電気器具のプラグが挿入されているか否かを検出する物理的な検出、又は、交流電源ソケット５０から電気器具に電流が流れているか否かを検出する電気的な検出、いずれの検出方法を有していてもよい。ソケット使用検出器１３０は、かかる使用状態を検出すると、その使用状態を制御器９０に伝達する。
【００３２】
また、交流電流供給装置１は、交流電源接続端子１０の使用の有無を検出する交流電源接続端子使用検出器１４０を備える。交流電源接続端子使用検出器１４０は、交流電源接続端子１０が外部交流電源３に挿入されているか否か、即ち、外部交流電源３から電力の供給を受けることのできる状態にある否かを検出する。交流電源接続端子使用検出器１４０も、ソケット使用検出器１３０と同様、物理的な検出方法と電気的な検出方法のいずれであってもよい。交流電源接続端子使用検出器１４０は、かかる使用状態を検出すると、その使用状態を制御器９０に伝達する。
【００３３】
また、交流電流供給装置１は、蓄電池３０の過放電や過充電を防止するため、蓄電池３０の充電状態（ＳＯＣ）を検出する充電状態検出器１５０を備える。充電状態検出器１５０は、かかる使用状態を検出すると、その使用状態を制御器９０に伝達する。充電状態検出器１５０は、例えば、蓄電池３０から出力される電流を積分した結果に基づいて、充電状態を検出する。
また、交流電流供給装置１は、漏電に備え、漏電ブレーカ１２０を備えてもよい。
【００３４】
また、交流電流供給装置１は、利用者へ警告等の表示を行う警告表示部１００と、利用者からの操作を受ける操作部１１０を備える。警告表示部１００は、制御器９０からの警告指令に従い警告等を表示する。また、操作部１１０は、例えば、その警告表示を見た利用者がその警告表示に対して行う指示を受けつける。警告表示部１００は、ＬＥＤ等のランプで表示してもよいし、液晶表示装置を備えてメッセージを表示してもよい。操作部１１０はボタン等により操作するものでもよいし、液晶表示装置と一体となったタッチパネルであってもよい
【００３５】
図２〜４を参照し、制御器９０が、第一スイッチ６０、第二スイッチ７０、及び、第三スイッチ８０に対して行う制御を説明する。図２は、交流電流供給装置１が、外部交流電源３から交流電流を受け、蓄電池３０に充電する普通充電時のスイッチの導通・遮断状態を示す。交流電源接続端子使用検出器１４０は、交流電源接続端子１０が外部交流電源３に挿入され、交流電流供給装置１が外部交流電源３から電力の供給を受けることのできる状態にあることを検出すると、制御器９０にその状態を伝達する。その伝達を受けた制御器９０は第二スイッチを導通させ、その結果交流電流は、矢印で示すように、交流−直流変換器２０に流れ、そこで直流電流に変換され、蓄電池３０に充電される。なお、他のスイッチは遮断する。
【００３６】
図３は、交流電流供給装置１が、交流電源接続端子１０が外部交流電源３に挿入されていないときに、交流電源ソケット５０を使用した場合のスイッチの導通・遮断状態を示す。ソケット使用検出器１３０は、家庭用電気器具などのプラグが挿入されたことを検出すると、制御器９０にその状態を伝達する。その伝達を受けた制御器９０は第三スイッチを導通させ、その結果直流電流は、矢印で示すように、蓄電池３０から直流−交流変換器４０に流れ、そこで交流電流に変換され、交流電源ソケット５０に交流電流を供給する。なお、他のスイッチは遮断する。
【００３７】
図４は、交流電源接続端子１０と交流電源ソケット５０を同時に使用した場合のスイッチの導通・遮断状態を示す。このような状態になるのは、図２に示す普通充電状態の時に、ソケット使用検出器１３０が交流電源ソケット５０に電気器具などのプラグが挿入されたことを検出した場合、又は、図３に示す交流電源ソケット５０に電気器具などのプラグが挿入されている状態の時に、交流電源接続端子使用検出器１４０が交流電源接続端子１０が外部交流電源３に挿入されたことを検出した場合である。
【００３８】
前者の場合は、制御器９０は、第二スイッチ７０が導通状態の時に、ソケット使用検出器１３０が交流電源ソケット５０にプラグが挿入されたことを検出した場合に、第二スイッチ７０を遮断し、第一スイッチ６０を導通する。また、後者の場合、制御器９０は、第三スイッチ８０が導通状態の時に、交流電源接続端子使用検出器１４０が交流電源接続端子１０が外部交流電源３に挿入されたことを検出した場合に、第三スイッチ８０を遮断し、第一スイッチ６０を導通する。
また、第一スイッチ６０、第二スイッチ７０、第三スイッチ８０の導通と遮断の条件について、利用者が操作画面において選択することができるようにしてもよい。
【００３９】
なお、制御器９０は、前者及び後者の両方の場合に、挿入の検出後それぞれのスイッチを導通・遮断する前に、利用者に注意喚起を促すため、警告表示部１００に対して警告指令を発してもよい。
【００４０】
交流電源接続端子使用検出器１４０が交流電源接続端子１０の使用を検出し、かつ、ソケット使用検出器１３０が交流電源ソケット５０の使用を検出した場合には、制御器９０は、第一スイッチ６０を導通し、第二スイッチ７０を遮断し、第三スイッチ８０を遮断する。
【００４１】
また、交流電源接続端子使用検出器１４０が交流電源接続端子１０の使用を検出せず、かつ、ソケット使用検出器１３０が交流電源ソケット５０の使用を検出した場合には、第一スイッチ６０を遮断し、第二スイッチ７０を遮断し、第三スイッチ８０を導通する。
【００４２】
また、交流電源接続端子使用検出器１４０が交流電源接続端子１０の使用を検出し、かつ、ソケット使用検出器１３０が交流電源ソケット５０の使用を検出しない場合には、第一スイッチ６０を遮断し、第二スイッチ７０を導通し、第三スイッチ８０を遮断する。
【００４３】
また、交流電源接続端子使用検出器１４０が交流電源接続端子１０の使用を検出せず、かつ、ソケット使用検出器１３０が交流電源ソケット５０の使用を検出しない場合には、第一スイッチ６０を遮断し、第二スイッチ７０を遮断し、第三スイッチ８０を遮断する。
【００４４】
また、制御器９０は、充電状態検出器１５０からの情報により、適宜、交流電源ソケット５０の使用時に過放電を防止するために第三スイッチ８０を遮断し、また、交流電源接続端子１０が外部交流電源３に挿入されている時に過充電を防止するために第二スイッチ７０を遮断する。
【００４５】
図５を参照し、本実施例における制御器の制御方法を説明する。なお、ステップをＳと略して記載する。
Ｓ１０にて、制御器９０は、交流電源接続端子１０が外部交流電源３に接続されているかどうかチェックする。接続されている場合、Ｓ２０にて、制御器９０は、交流電源ソケット５０にプラグが挿入されているかどうかチェックする。プラグが挿入されていない場合、Ｓ３０にて、制御器９０は、第二スイッチ７０を導通し、他のスイッチを遮断する。その結果、外部交流電源３から蓄電池３０へ充電が開始される。
【００４６】
Ｓ４０にて、制御器９０は、充電状態を監視し、充電終了をチェックする。充電終了するまで、Ｓ１０、Ｓ２０、Ｓ３０を繰り返し、充電終了を検知したら、Ｓ５０にて、制御器９０は、第二スイッチ７０を遮断する。
【００４７】
Ｓ２０にてプラグが挿入されていた場合、Ｓ６０にて、制御器９０は、警告を出力する。Ｓ７０にて、利用者の指示を待ち受け、利用者の指示が蓄電池３０への充電を優先する指示である場合、Ｓ３０にて、制御器９０は、第二スイッチ７０を導通し、他のスイッチを遮断する。また、利用者の指示が交流電源ソケット５０を介した電気器具の使用を優先する指示である場合、Ｓ８０にて、制御器９０は、第一スイッチ６０を導通し、他のスイッチを遮断する。その後、Ｓ２０に戻る。
【００４８】
Ｓ１０にて、交流電源接続端子１０が外部交流電源３に接続されていなかった場合、Ｓ９０にて、制御器９０は、蓄電池３０の蓄電池容量の残量をチェックする。残量が十分であった場合、Ｓ１００にて、制御器９０は、交流電源ソケット５０にプラグが挿入されているかチェックする。挿入されている場合、制御器９０は、第三スイッチ８０を導通し、他のスイッチを遮断する。その後、Ｓ９０に戻る。
【００４９】
Ｓ９０にて残量が不十分であった場合及びＳ１００にてプラグが挿入されていない場合、Ｓ１２０にて、制御器９０は、すべてのスイッチを遮断する。
【００５０】
上記制御方法は、換言すれば、交流電流供給方法である。この交流電流供給方法は、外部の交流電源から交流−直流変換を経て得られる直流電流を蓄積する電力蓄積手段と、この電力蓄積手段から直流−交流変換を経て得られる交流電流を出力する交流電流出力手段とを有して、外部の交流電源からの電力の供給があり、かつ、交流電流出力手段を使用する場合には、電力蓄積手段を経ず、外部の交流電源から交流電流出力手段へ直接交流電流の供給を行う方法である。また、外部の交流電源から交流電流出力手段へ交流電流の供給を行う前に、利用者に選択させるための選択提供手段を有している。
【００５１】
本発明において、第一スイッチ６０および第二スイッチ７０が同時に導通しない。これにより、交流電源ソケット５０の使用と蓄電池３０への充電が同時に発生せず、車両２における消費電力が外部交流電源３の電力供給容量を超えない。
さらに、本発明において、第二スイッチ７０および第三スイッチ８０が同時に導通しない。これにより、交流電源ソケット５０の使用と蓄電池３０への充電が同時に発生せず、車両２における消費電力が外部交流電源の電力供給容量を超えない。
なお、交流―直流変換器２０から蓄電池３０への電流量を外部交流電源３の電力供給容量を超えないように制限することで、第二スイッチ７０および第三スイッチ８０が同時に導通させる。このとき、交流電源ソケット５０の使用と蓄電池３０への充電を同時に発生させることができる。
【００５２】
なお、本発明は、例示した実施例に限定するものではなく、特許請求の範囲の各項に記載された内容から逸脱しない範囲の構成による実施が可能である。
【符号の説明】
【００５３】
１      交流電流供給装置
２      車両
３      外部交流電源
１０    交流電源接続端子
２０    交流−直流変換器
３０    蓄電池
４０    直流−交流変換器
５０    交流電源ソケット
６０    第一スイッチ
７０    第二スイッチ
８０    第三スイッチ
９０    制御器
１００  警告表示部
１１０  操作部
１２０  漏電ブレーカ
１３０  ソケット使用検出器
１４０  交流電源接続端子使用検出器
１５０  充電状態検出器
【図１】
0005632771.tif 000002
【図２】
0005632771.tif 000003
【図３】
0005632771.tif 000004
【図４】
0005632771.tif 000005
【図５】
0005632771.tif 000006